(57)【要約】【課題】目当て部材の位置調整を迅速かつ容易に行うことができる観察光学機器を提供すること。【解決手段】本発明の観察光学機器を適用した双眼鏡１Ａは、接眼レンズ系２４２Ｌを有する鏡体２Ｌと、鏡体２Ｌに対し光軸Ａｘ方向に変位可能なほぼ円筒状の目当て部材３Ｌと、目当て部材３Ｌの突出可能量を調整する突出可能量調整機構とを備える。目当て部材３Ｌは、その内側に、鏡体２Ｌの後端部に設けられた支持部２１が挿入した状態で設置され、支持部２１に対し光軸Ａｘ方向に摺動可能になっている。支持部２１の外周面には、突起２１３が設けられ、目当て部材３Ｌの内周面には、突起２１３が挿入し得る光軸Ａｘ方向に沿って延びた長さの異なる複数の縦溝３４、３５、３６および３７が並設されている。縦溝３４、３５、３６および３７のうちのいずれに突起２１３が挿入するかによって、目当て部材３Ｌの突出可能量が変化する。【選択図】図２
2005055649.tif 000002
【特許請求の範囲】
【請求項１】
接眼レンズ系を有する鏡体と、前記鏡体に対し光軸方向に変位可能な目当て部材とを備えた観察光学機器であって、
前記目当て部材が引っ込んだ状態から前記目当て部材を把持して最大に突出させる操作をしたときに前記目当て部材が突出可能な突出可能量を調整する突出可能量調整機構を設けたことを特徴とする観察光学機器。
【請求項２】
前記目当て部材の突出可能量の大小を確認し得るように設けられた指標を有する請求項１に記載の観察光学機器。
【請求項３】
前記指標は、基準マークと、前記目当て部材の突出可能量を調整する際に前記基準マークに対し相対的に変位する部材に設けられ、前記突出可能量の大小を示す複数の目盛り線とを有し、該複数の目盛り線は、その長さおよび／または太さが互いに異なる請求項２に記載の観察光学機器。
【請求項４】
前記目当て部材は、ほぼ円筒状をなしており、
前記目当て部材を把持して回転させる操作によって前記目当て部材が前記収納状態と突出状態とに変位するように構成されている請求項１ないし３のいずれかに記載の観察光学機器。
【請求項５】
前記目当て部材を把持して光軸方向に直進させる操作によって前記目当て部材が前記収納状態と突出状態とに変位するように構成されている請求項１ないし３のいずれかに記載の観察光学機器。
【請求項６】
前記鏡体は、前記接眼レンズ系側の端部に、前記目当て部材を支持する円筒状の支持部を有し、
前記目当て部材は、その内側に前記支持部が挿入した状態で設置され、前記支持部に対し光軸方向に摺動可能になっており、
前記目当て部材の内周面と前記支持部の外周面との一方には、突起が設けられ、他方には、該突起が挿入し得る光軸方向に沿って延びた長さの異なる複数の縦溝が並設されており、
前記複数の縦溝のうちのいずれに前記突起が挿入するかによって、前記目当て部材の突出可能量が変化するように構成されている請求項５に記載の観察光学機器。
【請求項７】
前記突起が一の前記縦溝から他の前記縦溝へ移動する際に通過する横溝が前記複数の縦溝の間に設けられている請求項６に記載の観察光学機器。
【請求項８】
前記鏡体に対し光軸方向に位置を調整可能に設置された円筒状の目当て制限部材を有し、
前記目当て部材は、前記目当て制限部材に対して光軸方向に変位可能であるとともに前記目当て制限部材に対する突出量が所定の位置で制限されるように設置されており、
前記目当て制限部材の前記鏡体に対する位置を調整することにより、前記目当て部材の突出可能量が変化するように構成されている請求項１ないし５のいずれかに記載の観察光学機器。
【請求項９】
前記目当て制限部材には、当該目当て制限部材の中心軸を中心に螺旋状をなす部分を有する螺旋溝が形成され、
前記目当て部材の内周部には、前記螺旋溝に挿入する突起が設けられており、
前記目当て部材を把持して回転させると、前記突起が前記螺旋溝内を移動することにより、前記目当て部材は、前記目当て制限部材に対して回転しつつ光軸方向に変位する請求項８に記載の観察光学機器。
【請求項１０】
前記目当て制限部材を前記鏡体に対して光軸方向に移動させる円筒カム機構と、前記円筒カム機構を作動させる際に操作する操作部とを有する請求項８または９に記載の観察光学機器。
【請求項１１】
前記鏡体は、前記接眼レンズ系側の端部に、前記目当て制限部材を支持する円筒状の支持部を有し、
前記目当て制限部材は、その内側に前記支持部が挿入した状態で設置され、前記支持部に対し光軸方向に摺動可能になっており、
前記目当て制限部材の内周面と前記支持部の外周面との一方には、突起が設けられ、他方には、該突起が挿入し得る溝が形成されており、
前記溝内を前記突起が移動することにより、前記目当て制限部材の前記鏡体に対する位置が調整されるように構成されている請求項８または９に記載の観察光学機器。
【請求項１２】
前記突出可能量調整機構によって調整された突出可能量に応じて前記目当て部材が最大に突出している状態において前記目当て部材の目当て面が光軸方向に押圧されたとき、前記目当て部材が移動しないように構成されている請求項１ないし１１のいずれかに記載の観察光学機器。
【請求項１３】
双眼鏡である請求項１ないし１２のいずれかに記載の観察光学機器。
【発明の詳細な説明】
【技術分野】
【０００１】
本発明は、観察光学機器に関する。
【背景技術】
【０００２】
例えば双眼鏡、単眼鏡、アイピースなどの観察光学機器を覗いたとき、かげらずに全視野を見るためには、目を光軸上の正しい位置（アイポイント）に置く必要がある。このため、観察光学機器の接眼レンズ側には、光軸方向に変位可能な目当てが設置されている。ユーザーは、眼鏡着用の有無や、顔の彫りの深さの違いなどに応じ、この目当ての突出位置を自分に合わせて調整した後、目当てに目（目の周囲）を当てて、観察光学機器を覗く。これにより、目をアイポイントに安定的に置けるようにしている。
【０００３】
従来、このような目当ては、目当ての位置調整が収納位置と使用位置（突出位置）との２段階のものが一般的である（例えば、特許文献１参照）。しかしながら、位置調整が２段階の場合には、細かい調整ができず、顔の彫りの深さの個人差に応じた調整を行うことができないので、目をアイポイントに正確に置くことが困難である。
【０００４】
また、比較的高級な観察光学機器では、個々人に合わせてより細かく目当ての位置調整が行えるように、クリックストップを途中に数段設けて目当てを段階的に調整できるようにしたものもある。このタイプのものでは、目当ての位置を調整しようとした場合、所望の位置が中間的な位置のときには、力が余って所望の位置を行き過ぎたり、その行き過ぎを防ぐために力を加減して一段一段慎重に動かさなければならなかったりするという問題がある。
【０００５】
しかも、双眼鏡などの場合には、このような位置調整操作を左右の目当てに対してそれぞれ行わなければならず、手間が掛かる。さらに、左右の目当ての突出位置を同じにするために、最初に調整した方の目当ての位置（何段目か）を覚えておいてからもう片方の目当ての位置を調整する必要があるなど、非常に気を使う。
【０００６】
【特許文献１】特開平８−１９４１６９号公報
【発明の開示】
【発明が解決しようとする課題】
【０００７】
本発明の目的は、目当て部材の位置調整を迅速かつ容易に行うことができる観察光学機器を提供することにある。
【課題を解決するための手段】
【０００８】
このような目的は、下記（１）〜（１３）の本発明により達成される。
（１）  接眼レンズ系を有する鏡体と、前記鏡体に対し光軸方向に変位可能な目当て部材とを備えた観察光学機器であって、
前記目当て部材が引っ込んだ状態から前記目当て部材を把持して最大に突出させる操作をしたときに前記目当て部材が突出可能な突出可能量を調整する突出可能量調整機構を設けたことを特徴とする観察光学機器。
【０００９】
これにより、ユーザーは、目当て部材の突出可能量を自分に合わせて予め調節しておけば、収納状態にある目当て部材を突出させる際には、力の加減をすることなく、目当て部材をそれ以上突出させられなくなるまで移動させれば自分に合った突出量になるので、目当て部材を自分に合った途中の位置で止めるための慎重な操作が不要である。よって、目当て部材の位置調整を迅速かつ容易に行うことができる。
【００１０】
（２）  前記目当て部材の突出可能量の大小を確認し得るように設けられた指標を有する上記（１）に記載の観察光学機器。
【００１１】
これにより、ユーザーは、目当て部材の突出可能量の調整状態を分かり易く認識することができる。
【００１２】
（３）  前記指標は、基準マークと、前記目当て部材の突出可能量を調整する際に前記基準マークに対し相対的に変位する部材に設けられ、前記突出可能量の大小を示す複数の目盛り線とを有し、該複数の目盛り線は、その長さおよび／または太さが互いに異なる上記（２）に記載の観察光学機器。
【００１３】
これにより、ユーザーは、目当て部材の突出可能量の調整状態をさらに分かり易く認識することができる。
【００１４】
（４）  前記目当て部材は、ほぼ円筒状をなしており、
前記目当て部材を把持して回転させる操作によって前記目当て部材が前記収納状態と突出状態とに変位するように構成されている上記（１）ないし（３）のいずれかに記載の観察光学機器。
これにより、目当て部材を簡単な操作で容易に光軸方向に移動させることができる。
【００１５】
（５）  前記目当て部材を把持して光軸方向に直進させる操作によって前記目当て部材が前記収納状態と突出状態とに変位するように構成されている上記（１）ないし（３）のいずれかに記載の観察光学機器。
これにより、目当て部材を簡単な操作で容易に光軸方向に移動させることができる。
【００１６】
（６）  前記鏡体は、前記接眼レンズ系側の端部に、前記目当て部材を支持する円筒状の支持部を有し、
前記目当て部材は、その内側に前記支持部が挿入した状態で設置され、前記支持部に対し光軸方向に摺動可能になっており、
前記目当て部材の内周面と前記支持部の外周面との一方には、突起が設けられ、他方には、該突起が挿入し得る光軸方向に沿って延びた長さの異なる複数の縦溝が並設されており、
前記複数の縦溝のうちのいずれに前記突起が挿入するかによって、前記目当て部材の突出可能量が変化するように構成されている上記（５）に記載の観察光学機器。
【００１７】
これにより、少ない部品点数で目当て部材の突出可能量調整機構を構成することができ、製造コストの低減が図れる。
【００１８】
（７）  前記突起が一の前記縦溝から他の前記縦溝へ移動する際に通過する横溝が前記複数の縦溝の間に設けられている上記（６）に記載の観察光学機器。
これにより、簡単な操作で目当て部材の突出可能量を調整することができる。
【００１９】
（８）  前記鏡体に対し光軸方向に位置を調整可能に設置された円筒状の目当て制限部材を有し、
前記目当て部材は、前記目当て制限部材に対して光軸方向に変位可能であるとともに前記目当て制限部材に対する突出量が所定の位置で制限されるように設置されており、
前記目当て制限部材の前記鏡体に対する位置を調整することにより、前記目当て部材の突出可能量が変化するように構成されている上記（１）ないし（５）のいずれかに記載の観察光学機器。
【００２０】
これにより、比較的簡単な構造で目当て部材の突出可能量調整機構を構成することができ、製造コストの低減が図れる。
【００２１】
（９）  前記目当て制限部材には、当該目当て制限部材の中心軸を中心に螺旋状をなす部分を有する螺旋溝が形成され、
前記目当て部材の内周部には、前記螺旋溝に挿入する突起が設けられており、
前記目当て部材を把持して回転させると、前記突起が前記螺旋溝内を移動することにより、前記目当て部材は、前記目当て制限部材に対して回転しつつ光軸方向に変位する上記（８）に記載の観察光学機器。
これにより、目当て部材を簡単な操作で容易に光軸方向に移動させることができる。
【００２２】
（１０）  前記目当て制限部材を前記鏡体に対して光軸方向に移動させる円筒カム機構と、前記円筒カム機構を作動させる際に操作する操作部とを有する上記（８）または（９）に記載の観察光学機器。
【００２３】
これにより、目当て制限部材の位置を容易かつ正確に調整することができ、よって、目当て部材の突出可能量を容易かつ正確に調整することができる。また、目当て部材の突出可能量を連続的に変化させることができるので、より精密な位置調整を行うことができる。
【００２４】
（１１）  前記鏡体は、前記接眼レンズ系側の端部に、前記目当て制限部材を支持する円筒状の支持部を有し、
前記目当て制限部材は、その内側に前記支持部が挿入した状態で設置され、前記支持部に対し光軸方向に摺動可能になっており、
前記目当て制限部材の内周面と前記支持部の外周面との一方には、突起が設けられ、他方には、該突起が挿入し得る溝が形成されており、
前記溝内を前記突起が移動することにより、前記目当て制限部材の前記鏡体に対する位置が調整されるように構成されている上記（８）または（９）に記載の観察光学機器。
【００２５】
これにより、少ない部品点数で目当て部材の突出可能量調整機構を構成することができ、製造コストの低減が図れる。
【００２６】
（１２）  前記突出可能量調整機構によって調整された突出可能量に応じて前記目当て部材が最大に突出している状態において前記目当て部材の目当て面が光軸方向に押圧されたとき、前記目当て部材が移動しないように構成されている上記（１）ないし（１１）のいずれかに記載の観察光学機器。
【００２７】
これにより、目当て部材が突出した状態で目当て面が押圧された場合であっても目当て部材の移動が確実に防止されるので、目当て部材がユーザーの意図に反して引っ込むことを確実に防止することができる。
【００２８】
（１３）  双眼鏡である上記（１）ないし（１２）のいずれかに記載の観察光学機器。
これにより、目当て部材の位置調整を迅速かつ容易に行うことができる双眼鏡を提供することができる。特に、左右の目当て部材の突出量を容易に同じ量に調整することができるので、左右の位置を揃えるために気を使うこともなく、簡単に行うことができる。
【発明の効果】
【００２９】
本発明によれば、ユーザーは、目当て部材の突出可能量を自分に合わせて予め調節しておけば、収納状態にある目当て部材を突出させる際には、力の加減をすることなく、目当て部材をそれ以上突出させられなくなるまで移動させれば自分に合った突出量になるので、目当て部材を自分に合った途中の位置で止めるための慎重な操作が不要である。よって、目当て部材の位置調整を迅速かつ容易に行うことができる。
【００３０】
また、本発明の観察光学機器を使用する際には、毎回、予め設定した自分に丁度良い位置に目当て部材の位置が調整されるので、自分に合った突出量を覚えておかなくても、位置調整を間違いなく行うことができる。
【発明を実施するための最良の形態】
【００３１】
以下、本発明の観察光学機器を添付図面に示す好適な実施形態に基づいて詳細に説明する。
【００３２】
＜第１実施形態＞
図１は、本発明の観察光学機器を双眼鏡に適用した場合の第１実施形態を示す下面図、図２ないし図５は、それぞれ、図１に示す双眼鏡における目当て部材およびその突出可能量調整機構を示す図である。なお、以下では、便宜上、図１中の下側および図２ないし図５中の左側を「前」、図１中の上側および図２ないし図５中の右側を「後」として説明する。
【００３３】
図１に示すように、双眼鏡１Ａは、左眼用の観察光学系（望遠光学系）２４Ｌを内蔵した鏡体（鏡筒）２Ｌと、右眼用の観察光学系（望遠光学系）２４Ｒを内蔵した鏡体（鏡筒）２Ｒと、鏡体２Ｌおよび２Ｒを互いに回動可能に連結するブリッジ１１とを備えている。
【００３４】
観察光学系２４Ｌ、２４Ｒは、それぞれ、対物レンズ系２４１Ｌ、２４１Ｒと、図示しないプリズム系（正立光学系）と、接眼レンズ系２４２Ｌ、２４２Ｒとを有している。本実施形態の双眼鏡１Ａは、対物レンズ系２４１Ｌ、２４１Ｒの光軸と、接眼レンズ系２４２Ｌ、２４２Ｒの光軸とがそれぞれ一直線上にあるダハプリズム式のものであるが、これに限定されず、対物レンズ系の光軸と接眼レンズ系の光軸とが一直線上にないタイプ（ポロプリズム式）のものでもよい。
【００３５】
ブリッジ１１は、鏡体２Ｌ、２Ｒの間に平行に配置された中心軸１１１を有するヒンジのような構造になっており、鏡体２Ｌ、２Ｒを回動可能に連結している。すなわち、鏡体２Ｌ、２Ｒは、中心軸１１１を中心として所定範囲で互いに回動可能になっており、また、その範囲では、開き具合を任意の状態で摩擦により保持することができるようになっている。これにより、接眼レンズ系２４２Ｌ、２４２Ｒの光軸間距離、すなわち眼幅を調整することができる。
【００３６】
なお、本実施形態の双眼鏡１Ａは、上述したように眼幅調整の方式が１軸回転式のものであるが、本発明の双眼鏡における眼幅調整の方式はこれに限定されず、２軸回転式のものや、スライド式のものなどであってもよい。
【００３７】
ブリッジ１１には、観察光学系２４Ｌ、２４Ｒのピントを調整する際に回転操作するピントリング１２が設置されている。双眼鏡１Ａは、ピントリング１２の回転運動を変換して、観察光学系２４Ｌ、２４Ｒの一部の構成要素をそれらの光軸方向に移動させる機構（例えば送りねじ機構やカム機構など）を備えている（図示は省略）。これにより、ピントリング１２を回転操作することによって、観察光学系２４Ｌ、２４Ｒのピント調整（合焦）を行うことができるようになっている。
【００３８】
鏡体２Ｌ、２Ｒの後端部には、それぞれ、ほぼ円筒形状をなす目当て部材（目当て環）３Ｌ、３Ｒが設置されている。この目当て部材３Ｌ、３Ｒは、それぞれ、接眼レンズ系２４２Ｌ、２４２Ｒの光軸Ａｘ方向に変位可能になっている。
【００３９】
ユーザーは、双眼鏡１Ａを使用する際には、眼鏡着用の有無や、顔の彫りの深さの違いなどに応じ、目当て部材３Ｌ、３Ｒの位置を自分に合わせて調整した後、目当て部材３Ｌ、３Ｒの目当て面（後端面）３３に目の周囲または眼鏡を当てた状態で双眼鏡１Ａを覗く。これにより、使用者は、目を光軸Ａｘ上の正規の位置（かげらずに全視野が見られる位置）、すなわちアイポイントに安定的に置くことができる。
【００４０】
本発明の双眼鏡１Ａは、目当て部材３Ｌ、３Ｒが引っ込んだ状態（以下、「収納状態」と言う）からこの目当て部材３Ｌ、３Ｒを把持して最大に突出させる操作をしたときに目当て部材３Ｌ、３Ｒが突出可能な突出可能量を調整する突出可能量調整機構を備えている。以下、このことについて詳細に説明するが、左眼用の目当て部材３Ｌおよびその突出可能量調整機構と、右眼用の目当て部材３Ｒおよびその突出可能量調整機構とは、互いに同様の構成であるので、以下では、代表して左眼用の目当て部材３Ｌおよびその突出可能量調整機構についてのみ説明する。
【００４１】
図２に示すように、目当て部材３Ｌは、円筒状の目当て内環３１と、この目当て内環３１の外周面および端面を覆う目当て外環３２とで構成されている。目当て内環３１は、例えば金属材料や比較的硬質な樹脂材料等で構成されており、目当て外環３２は、例えばゴム材料や比較的軟質な樹脂材料等で構成されている。目当て面３３は、目当て外環３２に形成されている。なお、図２中の上段は、目当て部材３Ｌ付近の半縦断面図であり、図２中の下段は、目当て部材３Ｌの内周面の展開図である。
【００４２】
鏡体２Ｌは、その後端部に、目当て部材３Ｌを支持する円筒状の支持部２１を有している。この支持部２１は、鏡体２Ｌの本体２５と一体的に形成されるとともにこの本体２５よりやや径の小さい小径部２１１と、この小径部２１１の後端側に同心的に固定されたリング状の支持環２１２とで構成されている。図示の構成では、小径部２１１の後端外周部に形成された雄ねじに支持環２１２の前端内周部に形成された雌ねじが螺合することにより、両者が固定されている。なお、鏡体２Ｌの本体２５の外周面は、ゴム製の鏡体ラバー２２により覆われている。
【００４３】
支持部２１の内側には、接眼レンズ系２４２Ｌを保持する接眼レンズ枠２３が同心的に挿入されている。図示の構成では、支持部２１（小径部２１１）の内周に形成された雌ねじに接眼レンズ枠２３の外周に形成された雄ねじが螺合することにより、接眼レンズ枠２３が支持部２１に保持されている。
【００４４】
支持部２１は、目当て部材３Ｌの内側に挿入した状態で目当て部材３Ｌを支持している。目当て部材３Ｌは、支持部２１に対し接眼レンズ系２４２Ｌの光軸Ａｘ方向に摺動可能になっている。これにより、目当て部材３Ｌは、鏡体２Ｌに対し、最も引っ込んだ収納状態（図２に示す状態）と、それより突出した状態（図１、図３および図５に示す状態）とに変位可能になっている。
【００４５】
支持部２１（支持環２１２）の外周面には、径方向外方に向かって突出する突起２１３が形成されている。この突起２１３の先端は、丸みを帯びている。
【００４６】
図２に示すように、目当て部材３Ｌ（目当て内環３１）の内周面には、突起２１３が挿入可能な光軸Ａｘ方向に沿って延びる複数（図示では４本）の縦溝３４、３５、３６および３７と、各縦溝３４、３５、３６、３７同士を連絡する横溝３８とが形成されている。
【００４７】
目当て部材３Ｌを鏡体２Ｌに対して光軸Ａｘ方向に移動または光軸Ａｘを中心に回転させると、突起２１３は、縦溝３４、３５、３６、３７および横溝３８内を相対的に移動する。目当て部材３Ｌは、突起２１３が縦溝３４、３５、３６、３７および横溝３８内にある範囲で、鏡体２Ｌに対して光軸Ａｘ方向に移動および光軸Ａｘを中心に回転可能になっている。
【００４８】
縦溝３４、３５、３６および３７は、その長さが互いに異なっている。本実施形態では、これらの縦溝３４、３５、３６および３７のうちのいずれに突起２１３が挿入するかによって、目当て部材３Ｌの突出可能量が変化するように構成されている。
【００４９】
図２および図３に示す状態では、突起２１３は、最も長い縦溝３４に挿入している。この状態は、目当て部材３Ｌの突出可能量が最大に調整された状態である。
【００５０】
また、縦溝３４、３５、３６および３７の端部や途中の各所には、局所的に溝の深さが深くされたクリック凹部３９が形成されている。各クリック凹部３９は、突起２１３の直径よりも小さい長さになっている。突起２１３がこのクリック凹部３９の個所に来ると、突起２１３の先端の丸みを帯びた部分がクリック凹部３９内に入って係止されることにより、目当て部材３Ｌがその位置である程度の力で係止され、位置決めされるようになっている。
【００５１】
図２に示す収納状態では、突起２１３は、縦溝３４の後端３４１に位置している。この収納状態では、支持部２１は、そのほぼ全体が目当て部材３Ｌの内側に隠れている。双眼鏡１Ａを使用しないとき（保管しておくとき）には、通常、目当て部材３Ｌは、この収納状態とされる。また、眼鏡を着用したユーザーが双眼鏡１Ａを使用するときも、目当て部材３Ｌを収納状態とすることがある。
【００５２】
また、この収納状態では、突起２１３の先端が縦溝３４の後端３４１に形成されたクリック凹部３９に挿入することにより、目当て部材３Ｌは、ある程度の力で位置決めされているので、自然に突出してしまうようなことが防止される。なお、縦溝３４の後方には、組立時に突起２１３が通過するための組立用溝３０が連続して形成されているが、完成状態ではこの組立用溝３０内に突起２１３が挿入することはない。
【００５３】
本実施形態では、目当て部材３Ｌは、スライド引き出し式になっており、目当て部材３Ｌを光軸Ａｘ方向に変位させる場合には、目当て部材３Ｌを把持して光軸Ａｘ方向に直進させるようにする。
【００５４】
図２に示す収納状態から、目当て部材３Ｌを把持して光軸Ａｘ方向に引っ張ると、突起２１３が縦溝３４内を相対的に前方に移動する。なお、図示の構成では、縦溝３４の途中に３箇所のクリック凹部３９が形成されており、目当て部材３Ｌを引っ張る際、この途中の３箇所でクリック感が得られる。
【００５５】
図３に示すように、突起２１３が縦溝３４の前端３４２まで来ると、目当て部材３Ｌをそれ以上引っ張ることができなくなる。この図３に示す状態は、目当て部材３Ｌが最大の突出可能量で突出した状態である。また、この状態では、突起２１３の先端が縦溝３４の前端３４２に形成されたクリック凹部３９に挿入していることにより、目当て部材３Ｌは、ある程度の力で位置決めされているので、目当て面３３がある程度の力で押圧されても目当て部材３Ｌは、この位置に保持される。なお、図３中の下段は、目当て部材３Ｌ付近の半縦断面図であり、図３中の上段は、目当て部材３Ｌおよび支持部２１（小径部２１１）の外周面の展開図である（図５も同様）。
【００５６】
図２に示すように、縦溝３４の隣には、２番目に長い縦溝３５が平行に形成され、その隣には、３番目に長い縦溝３６が平行に形成され、その隣には、最も短い縦溝３７が平行に形成されている。これらの縦溝３４、３５、３６および３７の後端３４１、３５１、３６１および３７１の光軸Ａｘ方向の位置は、揃えられている。これに対し、縦溝３４、３５、３６および３７の前端３４２、３５２、３６２および３７２は、この順に段々に後方にずれて位置している。
【００５７】
このような構成により、突起２１３が縦溝３５に挿入しているときには、縦溝３４に挿入しているときよりも目当て部材３Ｌの突出可能量が短くなり、また、突起２１３が縦溝３６に挿入しているときには、目当て部材３Ｌの突出可能量がさらに短くなり、突起２１３が縦溝３７に挿入しているときには、目当て部材３Ｌの突出可能量が最も短くなる。
【００５８】
突起２１３は、横溝３８を通って、縦溝３４、３５、３６、３７間を移動可能になっている。一例として、突起２１３を縦溝３４から縦溝３６へ移動させる場合の操作について説明する。まず、図２または図３に示す状態から目当て部材３Ｌを光軸Ａｘ方向に移動させることにより、縦溝３６への横溝３８が形成された位置に突起２１３を位置させる。これにより、図４に示す状態となる。この位置には、クリック凹部３９が形成されているので、ユーザーは、目当て部材３Ｌを移動させる際の感覚でこの位置を認識できるようになっている。次いで、図４に示す状態から目当て部材３Ｌを光軸Ａｘを中心として所定方向に所定角度回転させると、突起２１３は、横溝３８を通ってまず縦溝３５へ移り、さらに横溝３８を通って縦溝３６の前端３６２へ移動する。これにより、図５に示す状態となる。
【００５９】
このようにして縦溝３６に突起２１３が挿入している状態は、目当て部材３Ｌの突出可能量が２番目に小さい大きさに調整された状態であり、目当て部材３Ｌは、図５に示す状態までしか引き出すことはできない。図５に示す状態から目当て部材３Ｌを前方に変位させると、突起２１３が縦溝３６の後端３６１へ相対的に移動し、目当て部材３Ｌを図２と同じ位置まで引っ込ませる（収納する）ことができる。
【００６０】
横溝３８は、各縦溝３４、３５、３６、３７間を連絡するように他の部分にも形成されており、以上の操作と同様にして、他の縦溝３５、３７にも突起２１３を移動させることができる。
【００６１】
このような双眼鏡１Ａは、上述のようにして調整される目当て部材３Ｌの突出可能量の大小を確認し得るように設けられた指標１３を有している。図３に示すように、指標１３は、目当て部材３Ｌの外周面の前方に付された三角形の基準マーク１３１と、支持部２１（小径部２１１）の外周面に付された複数（図示では４本）の目盛り線１３２、１３３、１３４および１３５とで構成されている。目盛り線１３２、１３３、１３４および１３５は、光軸Ａｘ方向に沿って延びており、互いに平行に並べられている。
【００６２】
目盛り線１３２は、突出可能量が最大であることを示すものであり、図３では、この目盛り線１３２の位置に基準マーク１３１が合っている。目盛り線１３３は、突出可能量が２番目に大きい状態であることを示しており、突起２１３が縦溝３５にあるときには、基準マーク１３１が目盛り線１３３の位置に合う。同様に、突起２１３が縦溝３６にあるときには、基準マーク１３１が目盛り線１３４の位置に合い（図５参照）、突起２１３が縦溝３７にあるときには基準マーク１３１が目盛り線１３５の位置に合うようになっている。
【００６３】
ユーザーは、目当て部材３Ｌを光軸Ａｘを中心に回転させて突出可能量を調整するに際し、基準マーク１３１が目盛り線１３２、１３３、１３４および１３５のいずれの位置にあるかを見ることによって、突出可能量の大小を分かり易く認識することができる。
【００６４】
また、目盛り線１３２、１３３、１３４および１３５は、その長さおよび太さが互いに異なっている。すなわち、最大の突出可能量に対応する目盛り線１３２は、長さが最も長く、太さも最も太くされており、目盛り線１３３、１３４、１３５の順に長さが段々に短くされ、太さも段々に細くされている。これにより、指標１３を見た場合、突出可能量の大小を視覚的により容易かつ間違いなく認識することができる。また、図５に示すように、目当て部材３Ｌの突出量が小さくて目盛り線１３２、１３３、１３４および１３５の一部が目当て部材３Ｌの下に隠れている場合であっても、目盛り線１３２、１３３、１３４および１３５の太さの違いによって、突出可能量の大小を分かり易くかつ間違いなく認識することができる。
【００６５】
以上説明したような目当て部材３Ｌの突出可能量調整機構を備えた双眼鏡１Ａのユーザーは、自分に最も適合する目当て部材３Ｌの突出量を予め探しておき、その突出量に合わせて目当て部材３Ｌの突出可能量を調整しておく。こうしておくと、収納状態にある目当て部材３Ｌを突出させる際には、力の加減をすることなく、目当て部材３Ｌをそれ以上引っ張れなくなるまで光軸Ａｘ方向に移動させれば、自分に合った突出量になるので、目当て部材３Ｌを自分に合った途中の位置で止めるための慎重な操作が不要である。よって、目当て部材３Ｌの位置調整を迅速かつ容易に行うことができる。また、双眼鏡１Ａを使用する際には、毎回、予め設定した自分に丁度良い位置に目当て部材３Ｌの位置が調整されるので、自分に合った突出量を覚えておかなくても、位置調整を間違いなく行うことができる。
【００６６】
このような位置調整は、もう一方の目当て部材３Ｒについても同様に行うことができる。よって、双眼鏡１Ａでは、左右の目当て部材３Ｌ、３Ｒの突出量を容易に同じ量に調整することができるので、左右の位置を揃えるために気を使うこともなく、簡単に行うことができる。
【００６７】
また、本実施形態では、部品点数を増やすことなく、目当て部材３Ｌの突出可能量調整機構を構成することができるので、製造コストの低減が図れる。
【００６８】
なお、本実施形態では、図２に示すように、縦溝３４、３５および３６の途中には、１箇所または複数箇所のクリック凹部３９が設けられており、突起２１３が縦溝３４、３５または３６内を移動している途中ではこれらのクリック凹部３９のところで目当て部材３Ｌがある程度の力で係止され、クリック感が得られるようになっている。これにより、突起２１３が縦溝３４、３５または３６内に挿入された状態のときには、上述したような使用方法だけでなく、目当て部材３Ｌを突出可能量よりも手前の突出量にした状態で使用することもできるようにされている。
【００６９】
＜第２実施形態＞
図６は、本発明の観察光学機器を双眼鏡に適用した場合の第２実施形態を示す下面図、図７は、図６に示す双眼鏡における目当て部材およびその突出可能量調整機構を示す図である。以下、これらの図を参照して本発明の観察光学機器（双眼鏡）の第２実施形態について説明するが、前述した実施形態との相違点を中心に説明し、同様の事項はその説明を省略する。
【００７０】
図７に示すように、本実施形態の双眼鏡１Ｂでは、目当て部材３Ｌの内周面には、縦溝３４、３５、３６および３７の後端３４１、３５１、３６１および３７１の位置に、これらを連絡する横溝３８が設けられている。よって、目当て部材３Ｌが収納状態のとき、目当て部材３Ｌを光軸Ａｘを中心に回転して、突出可能量の調整を行うことができるようになっている。
【００７１】
また、図６および図７に示すように、指標１３’の目盛り線１３２、１３３、１３４および１３５は、鏡体２Ｌ、２Ｒの本体２５を覆う鏡体ラバー２２の外周面に設けられている。よって、目当て部材３Ｌ、３Ｒが収納状態のとき、指標１３’を視認可能になっている。
【００７２】
このような構成により、本実施形態では、目当て部材３Ｌ、３Ｒが収納状態のとき、その突出可能量の調整を行うことができるようになっている。
【００７３】
また、本実施形態では、縦溝３５および３６の途中には、クリック凹部３９が設けられていない。これにより、突起２１３が縦溝３５または３６にある状態では、目当て部材３Ｌを光軸Ａｘ方向に移動させたとき、クリックストップされず、スムーズに移動できる。
【００７４】
＜第３実施形態＞
図８は、本発明の観察光学機器を双眼鏡に適用した場合の第３実施形態を示す下面図、図９ないし図１３は、それぞれ、図８に示す双眼鏡における目当て部材およびその突出可能量調整機構を示す図である。なお、以下では、便宜上、図８中の下側および図９ないし図１３中の左側を「前」、図８中の上側および図９ないし図１３中の右側を「後」として説明する。
【００７５】
以下、これらの図を参照して本発明の観察光学機器（双眼鏡）の第３実施形態について説明するが、前述した実施形態との相違点を中心に説明し、同様の事項はその説明を省略する。
【００７６】
図９に示すように、本実施形態の双眼鏡１Ｃにおける目当て部材４Ｌは、円筒状の目当て内環４１と、この目当て内環４１の外周面および端面を覆う目当て外環４２とで構成されている。なお、図９中の下段は、目当て部材４Ｌ付近の半縦断面図であり、図９中の上段は、鏡体２Ｌ、操作部５２および目当て制限部材６の外周面の展開図である（図１０〜図１３も同様）。
【００７７】
鏡体２Ｌの後端部に設けられた支持部２１の小径部２１１の外周側には、円筒カム部材５が同心的に設置されている。また、小径部２１１の外周面には、後述するフォロアピン６１が挿入する直進案内溝２１４が形成されている。
【００７８】
円筒カム部材５は、フォロアピン６１が挿入するカム溝５１１が形成されたカム筒５１と、このカム筒５１の前側に一体的に形成された操作部５２とで構成されている。図８に示すように、操作部５２の外径は、鏡体２Ｌの本体部の外径とほぼ同じになっている。この操作部５２の外周部には、滑り止めの細かい凹凸が形成されている。これにより、操作部５２の外周に指を当てて円筒カム部材５を回転させることができるようになっている。
【００７９】
カム筒５１は、支持環２１２とほぼ同じ外径になっており、カム筒５１の後端には、支持環２１２が当接している。これにより、円筒カム部材５が後方に抜けないようにされている。
【００８０】
カム筒５１および支持環２１２の外周側には、円筒状の目当て制限部材（目当て制限環）６が同心的に設置されている。目当て制限部材６は、その管壁内側から径方向内方に向かって突出するフォロアピン６１を有している。
【００８１】
フォロアピン６１は、カム溝５１１を貫通しており、フォロアピン６１の先端部は、直進案内溝２１４に挿入している。
【００８２】
このような構成により、操作部５２を回転操作すると、フォロアピン６１がカム溝５１１内および直進案内溝２１４内を相対的に移動することにより、目当て制限部材６が光軸Ａｘ方向に進退する。
【００８３】
目当て部材４Ｌは、その内側に目当て制限部材６が挿入した状態で設置されている。目当て部材４Ｌの内周部には、径方向内方に向かって突出する突起４４が設けられている。
【００８４】
目当て制限部材６には、その中心軸（すなわち光軸Ａｘ）を中心に螺旋状をなす部分を有する螺旋溝６２が形成されており、この螺旋溝６２には、突起４４が挿入している。螺旋溝６２は、その後端部に、光軸Ａｘに対し垂直になった垂直部６２１を有している。
【００８５】
このような構成により、目当て部材４を把持して回転させると、突起４４が螺旋溝６２内を移動することにより、目当て部材４は、目当て制限部材６に対して回転しつつ光軸Ａｘ方向に変位し、収納状態と突出状態とに移動する。すなわち、目当て部材４Ｌは、回転繰り出し式になっている。
【００８６】
以上説明したような本実施形態の双眼鏡１Ｃでは、操作部５２を回転させて目当て制限部材６の鏡体２Ｌに対する位置を調整することにより、目当て部材４Ｌの突出可能量が変化するように構成されている。
【００８７】
図９に示す状態は、目当て制限部材６が最も後方に移動した状態であり、目当て部材４Ｌの突出可能量が最大に調整された状態である。また、図９に示す状態では、目当て部材４Ｌは、最も引っ込んだ収納状態とされており、突起４４は、螺旋溝６２の前端部に位置している。
【００８８】
ここで、双眼鏡１Ｃは、目当て部材４Ｌの突出可能量の大小、すなわち操作部５２の回転量を確認し得るように設けられた指標１４を有している。指標１４は、操作部５２の所定個所に刻まれた基線１４１と、基線１４１付近の鏡体２Ｌの本体部の外周面に付された台形のマーク１４２とで構成されている。マーク１４２は、図９中の上端で幅が最も大きく、同図中の下側に向かって徐々に幅が小さくなる形をしている。このような指標１４は、マーク１４２の、基線１４１が指しているところの幅によって、目当て部材４Ｌの突出可能量の大小が分かるようになっている。図９の状態では、基線１４１は、マーク１４２の幅が最大のところを指しており、これにより、目当て部材４Ｌの突出可能量が最大であることを容易に視認することができる。
【００８９】
図９に示す収納状態から、目当て部材４Ｌを把持して所定方向に回転させると、突起４４が螺旋溝６２に沿って移動することにより、目当て部材４Ｌは、光軸Ａｘ方向に突出していく。そして、図１０に示すように、突起４４が螺旋溝６２の後端まで来ると、目当て部材４Ｌをそれ以上回転させることができなくなる。すなわち、目当て部材４Ｌの目当て制限部材６に対する突出量は、この位置で制限される。この図１０に示す状態は、目当て部材４Ｌが最大の突出可能量で突出した状態である。
【００９０】
このようにして目当て部材４Ｌを突出させた状態では、突起４４は、螺旋溝６２の垂直部６２１に位置しているので、目当て面４３が押圧されても目当て部材４Ｌが移動するのが確実に防止することができる。すなわち、一旦突出させた目当て部材４Ｌは、前記所定方向と反対方向に回転させない限り引っ込まないので、目当て部材４Ｌがユーザーの意図に反して引っ込むことを確実に防止することができる。なお、この目当て部材４Ｌの引っ込み防止機能は、突出可能量の大小にかかわらず発揮される。
【００９１】
図１０に示す状態から、基線１４１がマーク１４２の中央に位置するように操作部５２を回転させると、フォロアピン６１が直進案内溝２１４の中央に位置するまで目当て制限部材６が前進し、図１１に示す状態となる。この状態は、目当て部材４Ｌが、中程度に調整された突出可能量で突出している状態であり、図１０に示す状態よりも目当て部材４Ｌの突出量は小さい。この状態から目当て部材４Ｌを前記所定方向と反対方向に回転させると、目当て部材４Ｌは、図９に示す位置と同じ位置まで引っ込み、収納状態となる。
【００９２】
図１１に示す状態から、基線１４１がマーク１４２の最も幅が小さいところに位置するように操作部５２を回転させると、フォロアピン６１が直進案内溝２１４の前端に位置するまで目当て制限部材６が前進し、図１２に示す状態となる。この状態は、目当て部材４Ｌが、最小に調整された突出可能量で突出している状態であり、図１１に示す状態よりも目当て部材４Ｌの突出量はさらに小さい。
【００９３】
図１２に示す状態から目当て部材４Ｌを前記所定方向と反対方向に回転させると、目当て部材４Ｌは、引っ込んでいき、目当て内環４１の後端部に形成された内フランジ４１１が支持環２１２の後端に当接し、図１３に示す収納状態となる。このときの目当て部材４Ｌの光軸Ａｘ方向の位置は、図９に示す位置と同じである。図１３に示す状態では、突起４４は、螺旋溝６２の途中の部分にある。
【００９４】
本実施形態では、目当て制限部材６を移動させる円筒カム機構を設けたことにより、目当て部材４Ｌの突出可能量を連続的に変化させることができるので、ユーザーは、目当て部材４Ｌの突出可能量を自分に合わせてより精密に調整することができる。
【００９５】
＜第４実施形態＞
図１４ないし図１８は、それぞれ、本発明の第４実施形態における目当て部材およびその突出可能量調整機構を示す図である。なお、以下では、便宜上、図１４ないし図１８中の左側を「前」、右側を「後」として説明する。
【００９６】
以下、これらの図を参照して本発明の第４実施形態について説明するが、前述した実施形態との相違点を中心に説明し、同様の事項はその説明を省略する。
【００９７】
本実施形態は、目当て制限部材６’の鏡体２Ｌに対する位置調整構造および指標１５の構成が異なること以外は前記第３実施形態と同様である。
【００９８】
図１４に示すように、目当て制限部材６’は、その内側に鏡体２Ｌの後端部の支持部２１が挿入した状態で設置され、支持部２１に対し光軸Ａｘ方向に摺動可能になっている。
【００９９】
目当て制限部材６’の内周面には、突起６３が設けられている。目当て制限部材６’の突起６３付近は、薄肉にされており、また、突起６３の両脇には長孔６４が形成されている。これにより、突起６３の付近は弾性変形しやすくなっており、突起６３は、径方向外方に変位可能になっている。
【０１００】
支持部２１の外周面には、突起６３が挿入し得る光軸Ａｘ方向に沿って延びた溝２１５が設けられている。溝２１５には、溝の深さが深くなった凹部が両端部および中央部の３箇所に形成されている。この凹部に突起６３が入って係止されることにより、目当て制限部材６’は、その位置である程度の力で位置決めされる。
【０１０１】
目当て制限部材６’は、溝２１５内を突起６３が移動して前記３つの凹部のいずれかに入って係止されることにより、鏡体２Ｌに対する光軸Ａｘ方向の位置を３段階に調整可能になっている。これにより、目当て部材４Ｌの突出可能量が変化する。
【０１０２】
図１４に示す状態は、突起６３が溝２１５の後端の凹部に入っており、目当て制限部材６’が最も後方に移動した状態であり、目当て部材４Ｌの突出可能量が最大に調整された状態である。この状態では、目当て制限部材６’の後端は、支持環２１２に形成されたフランジに当接しており、目当て制限部材６’がこれ以上後方に移動しないように規制されている。また、図１４に示す状態では、目当て部材４Ｌは、最も引っ込んだ収納状態とされており、突起４４は、螺旋溝６２の前端部に位置している。
【０１０３】
図１４に示す収納状態から、目当て部材４Ｌを把持して所定方向に回転させると、突起４４が螺旋溝６２に沿って移動することにより、目当て部材４Ｌは、光軸Ａｘ方向に突出していく。そして、図１５に示すように、突起４４が螺旋溝６２の後端まで来ると、目当て部材４Ｌをそれ以上回転させることができなくなる。すなわち、目当て部材４Ｌの目当て制限部材６’に対する突出量は、この位置で制限される。この図１５に示す状態は、目当て部材４Ｌが最大の突出可能量で突出した状態である。
【０１０４】
ここで、本実施形態では、目当て部材４Ｌの突出可能量の大小、すなわち目当て制限部材６’の光軸Ａｘ方向の位置を確認し得るように設けられた指標１５が設けられている。図１５に示すように、指標１５は、支持部２１（小径部２１１）の外周面に設けられており、後方に向かって互いの間隔が広がるように配置された一対の直線１５１、１５２と、この直線１５１、１５２の間に設けられた周方向に沿って延びる直線１５３とで構成されている。
【０１０５】
このような指標１５は、目当て制限部材６’の位置によって、現れたり、目当て制限部材６’の下に隠れたりする。そして、目当て制限部材６’の前端と直線１５１、１５２とが交わる部分における直線１５１、１５２の間隔の大小によって、目当て部材４Ｌの突出可能量の大小が分かるようになっている。図１５の状態では、目当て制限部材６’の前端と直線１５１、１５２とが交わる部分における直線１５１、１５２の間隔は、最大になっており、これにより、目当て部材４Ｌの突出可能量が最大であることを容易に視認することができる。
【０１０６】
図１５に示す状態から、目当て制限部材６’を前方に移動させると、突起６３が溝２１５の中央の凹部に移動し、図１６に示す状態となる。この状態は、目当て部材４Ｌが、中程度に調整された突出可能量で突出している状態であり、図１５に示す状態よりも目当て部材４Ｌの突出量は小さい。図１６に示す状態では、目当て制限部材６’の前端は、指標１５の直線１５３の位置に来ており、これにより、目当て部材４Ｌの突出可能量が中程度になっていることが分かる。
【０１０７】
図１６に示す状態から、目当て制限部材６’をさらに前方に移動させると、突起６３が溝２１５の前端の凹部に移動し、図１７に示す状態となる。この状態は、目当て部材４Ｌが、最小に調整された突出可能量で突出している状態であり、図１６に示す状態よりも目当て部材４Ｌの突出量はさらに小さい。図１７に示す状態では、指標１５は、目当て制限部材６’の下に隠れて見えなくなり、これにより、目当て部材４Ｌの突出可能量が最小になっていることが分かる。
【０１０８】
図１７に示す状態から目当て部材４Ｌを前記所定方向と反対方向に回転させると、目当て部材４Ｌは、引っ込んでいき、目当て内環４１の後端部に形成された内フランジ４１１が支持環２１２の後端に当接し、図１８に示す収納状態となる。このときの目当て部材４Ｌの光軸Ａｘ方向の位置は、図１４に示す位置と同じである。図１８に示す状態では、突起４４は、螺旋溝６２の途中の部分にある。
【０１０９】
＜第５実施形態＞
図１９および図２０は、それぞれ、本発明の第５実施形態における目当て部材およびその突出可能量調整機構を示す図である。なお、以下では、便宜上、図１９および図２０中の左側を「前」、右側を「後」として説明する。
【０１１０】
以下、これらの図を参照して本発明の第５実施形態について説明するが、前述した実施形態との相違点を中心に説明し、同様の事項はその説明を省略する。
【０１１１】
本実施形態は、突起６３が挿入する支持部２１に形成された溝の形状および指標１６の構成が異なること以外は前記第４実施形態と同様である。
【０１１２】
支持部２１（小径部２１１）の外周面には、突起６３が挿入し得る光軸Ａｘ方向に沿って延びる複数（図示では３本）の溝２１６、２１７および２１８が互いに平行に設けられている。これらの溝２１６、２１７および２１８の後端の位置は揃えられており、溝２１６、２１７および２１８の前端の位置は、この順に段々に前方にずらして配置されている。溝２１６、２１７および２１８の前端には、溝の深さが深くなった凹部が形成されており、この凹部に突起６３が入って係止されることにより、目当て制限部材６’は、その位置である程度の力で位置決めされる。
【０１１３】
目当て制限部材６’は、溝２１６、２１７および２１８のいずれかの前端の凹部に突起６３が入って係止されることにより、鏡体２Ｌに対する光軸Ａｘ方向の位置を３段階に調整可能になっている。これにより、目当て部材４Ｌの突出可能量が変化する。
【０１１４】
図１９に示す状態は、突起６３が溝２１６の前端の凹部に入っており、目当て部材４Ｌの突出可能量が最大に調整された状態である。
【０１１５】
本実施形態では、目当て部材４Ｌの突出可能量の大小を確認し得るように設けられた指標１６が設けられている。指標１６は、目当て制限部材６’の外周面に設けられた三角形の基準マーク１６１と、支持部２１（小径部２１１）の外周面に設けられた３本の目盛り線１６２、１６３および１６４とで構成されている。目盛り線１６２、１６３および１６４は、互いにその太さおよび長さが異なっている。図１９に示す状態では、基準マーク１６１は、最も太くて長い目盛り線１６２を指しており、これにより、突出可能量が最大であることが分かり易く確認できる。
【０１１６】
溝２１６、２１７および２１８の後端には、これらを互いに連絡する横溝２１９が形成されている。
【０１１７】
目当て部材４Ｌの突出可能量を調整（変更）する際には、図２０に示すように、目当て部材４Ｌを回転させて繰り出した後さらに後方に引っ張ることにより、目当て制限部材６’を後方に引き出し、突起６３が横溝２１９に入る状態とする。そして、基準マーク１６１が目盛り線１６２、１６３および１６４のうちの希望するものに合うように目当て制限部材６’を回転させた後、目当て制限部材６’を前方に一杯に押し込む。これにより、突起６３が溝２１６、２１７および２１８のいずれかの前端の凹部に入って係止され、突出可能量の調整が終了する。
【０１１８】
本実施形態では、上述のようにして目当て部材４Ｌの突出可能量を調整した後では、溝２１６、２１７および２１８のいずれかの前端の凹部に突起６３が入っており、目当て面４３が押圧されても目当て制限部材６’がそれ以上前方に移動するのが防止されるので、目当て部材４Ｌが引っ込むことが確実に防止される。よって、一旦突出させた目当て部材４Ｌがユーザーの意図に反して引っ込むことを確実に防止することができる。このように、本実施形態では、目当て部材４Ｌの引っ込み防止機能が突出可能量の大小にかかわらず発揮される。
【０１１９】
以上、本発明の観察光学機器を図示の実施形態について説明したが、本発明は、これに限定されるものではなく、観察光学機器を構成する各部は、同様の機能を発揮し得る任意の構成のものと置換することができる。また、任意の構成物が付加されていてもよい。
【０１２０】
また、本実施形態においては、本発明の観察光学機器を双眼鏡に適用した場合について説明したが、これに限らず、例えば単眼鏡、アイピースなどの他の種類の観察光学機器にも本発明を適用することができる。
【０１２１】
また、本発明の観察光学機器は、前記各実施形態のうちの、任意の２以上の構成（特徴）を組み合わせたものであってもよい。
【図面の簡単な説明】
【０１２２】
【図１】本発明の観察光学機器を双眼鏡に適用した場合の第１実施形態を示す下面図である。
【図２】図１に示す双眼鏡における目当て部材およびその突出可能量調整機構を示す図である。
【図３】図１に示す双眼鏡における目当て部材およびその突出可能量調整機構を示す図である。
【図４】図１に示す双眼鏡における目当て部材およびその突出可能量調整機構を示す図である。
【図５】図１に示す双眼鏡における目当て部材およびその突出可能量調整機構を示す図である。
【図６】本発明の観察光学機器を双眼鏡に適用した場合の第２実施形態を示す下面図である。
【図７】図６に示す双眼鏡における目当て部材およびその突出可能量調整機構を示す図である。
【図８】本発明の観察光学機器を双眼鏡に適用した場合の第３実施形態を示す下面図である。
【図９】図８に示す双眼鏡における目当て部材およびその突出可能量調整機構を示す図である。
【図１０】図８に示す双眼鏡における目当て部材およびその突出可能量調整機構を示す図である。
【図１１】図８に示す双眼鏡における目当て部材およびその突出可能量調整機構を示す図である。
【図１２】図８に示す双眼鏡における目当て部材およびその突出可能量調整機構を示す図である。
【図１３】図８に示す双眼鏡における目当て部材およびその突出可能量調整機構を示す図である。
【図１４】本発明の第４実施形態における目当て部材およびその突出可能量調整機構を示す図である。
【図１５】本発明の第４実施形態における目当て部材およびその突出可能量調整機構を示す図である。
【図１６】本発明の第４実施形態における目当て部材およびその突出可能量調整機構を示す図である。
【図１７】本発明の第４実施形態における目当て部材およびその突出可能量調整機構を示す図である。
【図１８】本発明の第４実施形態における目当て部材およびその突出可能量調整機構を示す図である。
【図１９】本発明の第５実施形態における目当て部材およびその突出可能量調整機構を示す図である。
【図２０】本発明の第５実施形態における目当て部材およびその突出可能量調整機構を示す図である。
【符号の説明】
【０１２３】
１Ａ、１Ｂ、１Ｃ  双眼鏡
１１          ブリッジ
１１１        中心軸
１２          ピントリング
１３          指標
１３１        基準マーク
１３２、１３３、１３４、１３５  目盛り線
１４          指標
１５          指標
１６          指標
１６１        基準マーク
１６２、１６３、１６４  目盛り線
２Ｌ、２Ｒ    鏡体
２１          支持部
２１１        小径部
２１２        支持環
２１３        突起
２１４        直進案内溝
２１５、２１６、２１７、２１８  溝
２１９        横溝
２２          鏡体ラバー
２３          接眼レンズ枠
２４Ｌ、２４Ｒ  観察光学系
２４１Ｌ、２４１Ｒ  対物レンズ系
２４２Ｌ、２４２Ｒ  接眼レンズ系
２５          本体
３Ｌ、３Ｒ    目当て部材
３０          組立用溝
３１          目当て内環
３２          目当て外環
３３          目当て面
３４、３５、３６、３７  縦溝
３４１、３５１、３６１、３７１  後端
３４２、３５２、３６２、３７２  前端
３８          横溝
３９          クリック凹部
４Ｌ、４Ｒ    目当て部材
４１          目当て内環
４１１        内フランジ
４２          目当て外環
４３          目当て面
４４          突起
５            円筒カム部材
５１          カム筒
５１１        カム溝
５２          操作部
６、６’      目当て制限部材
６１          フォロアピン
６２          螺旋溝
６２１        垂直部
６３          突起
６４          長孔
Ａｘ          光軸
【図１】
2005055649.tif 000003
【図２】
2005055649.tif 000004
【図３】
2005055649.tif 000005
【図４】
2005055649.tif 000006
【図５】
2005055649.tif 000007
【図６】
2005055649.tif 000008
【図７】
2005055649.tif 000009
【図８】
2005055649.tif 000010
【図９】
2005055649.tif 000011
【図１０】
2005055649.tif 000012
【図１１】
2005055649.tif 000013
【図１２】
2005055649.tif 000014
【図１３】
2005055649.tif 000015
【図１４】
2005055649.tif 000016
【図１５】
2005055649.tif 000017
【図１６】
2005055649.tif 000018
【図１７】
2005055649.tif 000019
【図１８】
2005055649.tif 000020
【図１９】
2005055649.tif 000021
【図２０】
2005055649.tif 000022